【手続補正書】
【提出日】平成18年2月24日(2006.2.24)
【手続補正１】
【補正対象書類名】明細書
【補正対象項目名】特許請求の範囲
【補正方法】変更
【補正の内容】
【特許請求の範囲】
【請求項１】  所定の溶媒に対する親溶媒性の基を有することにより該溶媒に可溶であり、逆ディールス・アルダー反応によって該親溶媒性の基が脱離して該溶媒に対する溶解度が不可逆的に低下可能であることを特徴とする化合物。
【請求項２】  テトラアザポルフィリン骨格を有している請求項１に記載の化合物。
【請求項３】  下記式（Ｉ）ないしは（ＩＩ）で示される構造を有している請求項２に記載の化合物：
【化１】
2003327588.tif 000001
【化２】
2003327588.tif 000002
（式（Ｉ）及び（ＩＩ）中、Ｒ1及びＲ2はそれぞれ該親溶媒性の基を示し、Ｍは２価〜４価の配位金属原子、Ｙはハロゲン原子、酸素原子または水酸基、ｎは０〜２の整数を示す）。
【請求項４】  ポルフィリン骨格を有している請求項１に記載の化合物。
【請求項５】  下記式（ＩＩＩ）ないしは（ＩＶ）で示される構造を有している請求項４記載の化合物：
【化３】
2003327588.tif 000003
【化４】
2003327588.tif 000004
（式（ＩＩＩ）及び（ＩＶ）中、Ｒ1及びＲ2はそれぞれ該親溶媒性の基を示し、Ｍは２価〜４価の配位金属原子、Ｙはハロゲン原子、酸素原子または水酸基、ｎは０〜２の整数を示す）。
【請求項６】  該溶媒が水溶性溶媒である請求項１〜５のいずれかに記載の化合物。
【請求項７】  該親溶媒性の基が、酸素原子、窒素原子及び硫黄原子の少なくとも１つを含む極性基である請求項６に記載の化合物。
【請求項８】  該親溶媒性の基が、水酸基、スルホン酸基、カルボキシル基及びアミノ基から選ばれる請求項７に記載の化合物。
【請求項９】  下記式（Ｉ）ないしは（ＩＩ）で示される構造を有していることを特徴とする化合物：
【化５】
2003327588.tif 000005
【化６】
2003327588.tif 000006
（式（Ｉ）及び（ＩＩ）中、Ｒ1及びＲ2はそれぞれ親溶媒性の基を示し、Ｍは２価〜４価の配位金属原子、Ｙはハロゲン原子、酸素原子または水酸基、ｎは０〜２の整数を示す）。
【請求項１０】  下記式（ＩＩＩ）ないしは（ＩＶ）で示される構造を有していることを特徴とする化合物：
【化７】
2003327588.tif 000007
【化８】
2003327588.tif 000008
（式（ＩＩＩ）及び（ＩＶ）中、Ｒ1及びＲ2はそれぞれ親溶媒性の基を示し、Ｍは２価〜４価の配位金属原子、Ｙはハロゲン原子、酸素原子または水酸基、ｎは０〜２の整数を示す）。
【請求項１１】  上記式（Ｉ）〜（ＩＶ）中、Ｒ1及びＲ2の各々が、酸素原子、窒素原子及び硫黄原子の少なくとも１つを含む極性基である請求項９または１０に記載の化合物。
【請求項１２】  上記式（Ｉ）〜（ＩＶ）中、Ｒ1及びＲ2が、各々独立して、水酸基、スルホン酸基、カルボキシル基、アミノ基から選ばれる基である請求項９〜１１の何れかに記載の化合物。
【請求項１３】  逆ディールス・アルダー反応によって脱離可能な所定の溶媒に対する親溶媒性の基を有するテトラアザポルフィリン骨格を有する化合物の合成方法であって、
（ｉ）  該親溶媒性の基あるいは該親溶媒性の基へと変換可能な置換基を有するシクロヘキサジエンと、ジエノフィルとしてのジシアノ化合物とをディールス・アルダー反応させて下記式（Ｖ）で示される化合物を得る工程；及び
【化９】
2003327588.tif 000009
（式（Ｖ）中、Ｒ3及びＲ4は、各々独立に該親溶媒性の基、または該親溶媒性の基に変換可能な基を表わす）
（ｉｉ）  上記式（Ｖ）で示される化合物を４量環化せしめてテトラアザポルフィリン骨格を形成した後、金属原子を該テトラアザポルフィリン骨格中に配位させる工程、
を有することを特徴とするテトラアザポルフィリン骨格を有する化合物の合成方法。
【請求項１４】  逆ディールス・アルダー反応によって脱離可能な所定の溶媒に対する親溶媒性の基を有するポルフィリン骨格を有する化合物の合成方法であって、
（ｉ）  ジエンとして該親溶媒性の基あるいは該親溶媒性の基への変換可能な置換基を有するシクロヘキサジエンと、ジエノフィルとしてのフェニルスルホニル化合物とをディールス・アルダー反応させて下記式（ＶＩ）で示される化合物及び下記式（ＶＩＩ）で示される化合物の少なくとも一方を得る工程；
【化１０】
2003327588.tif 000010
【化１１】
2003327588.tif 000011
（式（ＶＩ）及び（ＶＩＩ）中、Ｒ3及びＲ4は、各々独立に該親溶媒性の基、または該親溶媒性の基に変換可能な基を表す。）
（ｉｉ）  上記式（ＶＩ）で示される化合物及び上記式（ＶＩＩ）で示される化合物の少なくとも一方と、ＣＮＣＨ2ＣＯＯＲ5（Ｒ5は炭素数１〜４の直鎖状もしくは分岐鎖状のアルキル基を示す）で示されるイソニトリルとを付加環化反応させて下記式（ＶＩＩＩ）で示される化合物を得る工程；及び、
【化１２】
2003327588.tif 000012
（式（ＶＩＩＩ）中、Ｒ3及びＲ4は、各々独立に該親溶媒性の基、または該親溶媒性の基に変換可能な基を表し、Ｒ5は炭素数１〜４の直鎖状もしくは分岐鎖状のアルキル基を示す）
（ｉｉｉ）  上記式（ＶＩＩＩ）で示される化合物を４量環化せしめてポルフィリン骨格を形成せしめた後、金属原子をポルフィリン骨格中に配位させる工程、を有することを特徴とするポルフィリン骨格を有する化合物の合成方法。
【請求項１５】  請求項１〜１２の何れかに記載の化合物及び溶媒を含むことを特徴とするインク。
【請求項１６】  更に他の化合物として色材を含む請求項１５に記載のインク。
【請求項１７】  インクジェット用である請求項１５または１６に記載のインク。
【請求項１８】  請求項１５〜１７の何れかに記載のインクを収容しているインク収容部を具備していることを特徴とするインクカートリッジ。
【請求項１９】  請求項１７に記載のインクを収容しているインク収容部と、該インクを吐出するインクジェットヘッドとを具備していることを特徴とする記録ユニット。
【請求項２０】  請求項１７に記載のインクを収容しているインク収容部と、該インクを吐出するインクジェットヘッドとを具備していることを特徴とするインクジェット記録装置。
【請求項２１】  （ｉ）  請求項１５〜１７の何れかに記載のインクを記録媒体に付与する工程と、
（ｉｉ）  該記録媒体に付与した該インクに含まれる該化合物を逆ディールス・アルダー反応させる工程と、
を有することを特徴とする記録方法。
【請求項２２】  請求項１〜１２の何れかに記載の化合物及び溶媒を含んでいることを特徴とする液体組成物。
【請求項２３】  インクジェット法で吐出させるためのものである請求項２２に記載の液体組成物。
【請求項２４】  表面に請求項１〜１２の何れかに記載の化合物、もしくは請求項１〜１２のいずれかに記載の化合物の逆ディールス・アルダー反応物が付着していることを特徴とする物品。
【請求項２５】  物品の表面に請求項１〜１２の何れかに記載の化合物を付着させた物品の、該化合物が逆ディールス・アルダー反応しているか否かを検知する工程を有することを特徴とする物品の環境履歴検知方法。
【請求項２６】  請求項１〜１２の何れかに記載の化合物、もしくは請求項１〜１２のいずれかに記載の化合物の逆ディールス・アルダー反応物を含む表面を具備していることを特徴とする記録媒体。